(57)【要約】【課題】安全で医療経済性に優れる点滴監視装置を提供する。【解決手段】点滴監視装置１００は、本体部１１０およびクランプ部１２０を有する。本体部は、点滴筒１０に着脱自在で、点滴筒に照射する光１１７の透過経路の変化から、点滴筒内の薬液１１の減少を検知し、報知信号を発する。クランプ部は、薬液の減少が検知されるのに応じて、点滴筒と連通する輸液ライン２０を閉塞する。【選択図】図１
2020081089.tif 000002
【特許請求の範囲】
【請求項１】
点滴筒に着脱自在で、前記点滴筒に照射した光の透過経路の変化から、前記点滴筒内の薬液の減少を検知し、報知信号を発する本体部と、
前記薬液の減少が検知されるのに応じて、前記点滴筒と連通する輸液ラインを閉塞するクランプ部と、を有する、点滴監視装置。
【請求項２】
前記クランプ部は、
弾性体によって付勢される押圧部と、
前記弾性体が圧縮された状態のまま前記押圧部を保持する保持部と、
前記保持部に接続した線状の通電収縮ワイヤと、を有し、
前記通電収縮ワイヤの通電にともなう収縮に連動させて、前記保持部による前記押圧部の保持を解除し、付勢された前記押圧部に前記輸液ラインを押圧させて閉塞する、請求項１に記載の点滴監視装置。
【請求項３】
前記点滴筒に照射する光は、赤外光である、請求項１または請求項２に記載の点滴監視装置。
【発明の詳細な説明】
【技術分野】
【０００１】
本発明は、点滴監視装置に関する。
【背景技術】
【０００２】
従来、点滴の薬液切れを検知するセンサが開発されており、例えば特許文献１では、輸液ラインの管の内部に薬液が有る場合と無い場合とで、光の屈折率が変化することを利用して薬液切れを検知し、そのことを赤色ＬＥＤ等によって知らせることが開示されている。
【先行技術文献】
【特許文献】
【０００３】
【特許文献１】特開２００６−１０５９７号公報
【発明の概要】
【発明が解決しようとする課題】
【０００４】
しかしながら、そのようなシグナルが見逃されてしまうと、上記従来技術では、点滴が終了した状態がそのまま放置され、その結果、輸液ラインへの血液の逆流を招いて安全性が損なわれる虞がある。また、血液の逆流は、輸液ラインの再利用の妨げとなるため、医療経済性の観点から好ましくない。
【０００５】
そこで、本発明は、安全で医療経済性に優れる点滴監視装置を提供することを目的とする。
【課題を解決するための手段】
【０００６】
上記目的を達成するための本発明の点滴監視装置は、点滴筒に着脱自在で、前記点滴筒に照射した光の透過経路の変化から、前記点滴筒内の薬液の減少を検知し、報知信号を発する本体部と、前記薬液の減少が検知されるのに応じて、前記点滴筒と連通する輸液ラインを閉塞するクランプ部と、を有する。
【発明の効果】
【０００７】
上記構成を有する点滴監視装置は、点滴が終了し点滴筒内の薬液が減少するのにともなって、輸液ラインを閉塞するため、輸液ラインへの血液の逆流が防止され、安全である。また、血液の逆流が防止される結果、輸液ラインが再利用可能な状態に維持されるため、医療経済性に優れる。
【図面の簡単な説明】
【０００８】
【図１】実施形態の点滴監視装置を点滴筒に取り付けられた状態で示す図である。
【図２】図１の２−２線に沿う図である。
【図３】点滴筒内の薬液が無くなった後の光の透過経路を示す図である。
【図４】クランプ部による輸液ラインの閉塞を示す図である。
【発明を実施するための形態】
【０００９】
以下、添付した図面を参照しながら、本発明の実施形態を説明する。なお、図面の寸法比率は、説明の都合上誇張されており、実際の比率とは異なる。
【００１０】
図１に示すように、実施形態の点滴監視装置１００は、本体部１１０、およびクランプ部１２０を有する。本体部１１０とクランプ部１２０とは、電気的に接続している。
【００１１】
本体部１１０は、点滴筒１０に着脱自在である。本体部１１０は、互いに離隔して対向する内面１１１、１１２を有し、点滴筒１０に対し、内面１１１、１１２の間で嵌合して取り付けられ、また、そこから点滴筒１０を引き抜くようにして取り外し可能であるが、どのような構成によって、本体部１１０を点滴筒１０に対し着脱自在にするかは、特に限定されない。本体部１１０は、点滴筒１０に溜まった薬液１１の液面よりも下方に取り付けられる。
【００１２】
本体部１１０は、内面１１１、１１２のうちの一方の側に発光素子１１３を有し、他方の側に受光素子１１４を有する。発光素子１１３および受光素子１１４は、光軸が一致するように対面し、さらに前記光軸が点滴筒１０の水平断面の中心から外れるように配置されている。発光素子１１３は、特に限定されないが、例えばＬＥＤであり、点滴筒１０に向けて光を照射する。ここで、点滴筒１０に照射する光は、好ましくは赤外光である。受光素子１１４は、特に限定されないが、例えばフォトトランジスタである。
【００１３】
また、本体部１１０は、電源（不図示）、報知信号発生部１１５、および制御部１１６を有する。電源は、例えば電池であり、発光素子１１３、受光素子１１４、報知信号発生部１１５、および制御部１１６と電気的に接続している。報知信号発生部１１５は、例えばアラームである。制御部１１６は、例えばマイコンである。制御部１１６は、受光素子１１４および報知信号発生部１１５と電気的に接続している。
【００１４】
クランプ部１２０は、点滴筒１０と連通する管である輸液ライン２０に着脱自在である。クランプ部１２０は、点滴筒１０より上流側または下流側の輸液ライン２０に取り付けられる。クランプ部１２０は、輸液ライン２０に嵌合する溝１２１で着脱自在であるが、どのような構成によって、クランプ部１２０を輸液ライン２０に対し着脱自在にするかは、特に限定されない。
【００１５】
クランプ部１２０は、バネ１２２（弾性体）によって付勢される押圧部１２３と、押圧部１２３を保持する保持部１２４と、保持部１２４に接続した線状の通電収縮ワイヤ１２５と、を有する。
【００１６】
押圧部１２３は、輸液ライン２０に向けて付勢される。保持部１２４は、バネ１２２が圧縮された状態のまま押圧部１２３を保持し、このとき、押圧部１２３は、輸液ライン２０から離隔している。
【００１７】
通電収縮ワイヤ１２５は、電流が流れたときだけ収縮する形状記憶合金のワイヤである。保持部１２４が押圧部１２３を保持している状態では、通電収縮ワイヤ１２５は、通電されておらず、柔軟で緩んでいるが、通電されると硬くなるとともに収縮する。
【００１８】
通電収縮ワイヤ１２５への通電は、点滴の終了にともなう薬液１１の減少を、本体部１１０が検知するのに応じて実行される。具体的に、本体部１１０は、発光素子１１３が照射する光が、点滴筒１０において透過経路を変化させることに基づき、薬液１１の減少を検知する。
【００１９】
図２に示すように、点滴の最中で薬液１１が点滴筒１０内に溜まっているときには、発光素子１１３が照射する光１１７は、薬液１１を透過する際に屈折し、受光素子１１４から外れる。
【００２０】
一方、点滴が終了し、薬液１１が減少して所定量より少なくなると、光１１７の透過経路から薬液１１が無くなり、屈折率が変化するため、光１１７の透過経路が変化する。
【００２１】
その結果、図３に示すように、光１１７は、受光素子１１４に当たる。受光素子１１４に光１１７が当たることによって、薬液１１の減少が検知されると、制御部１１６から報知信号発生部１１５に信号が送られ、報知信号発生部１１５がアラーム音（報知信号）を発する。
【００２２】
さらに、図４に示すように、薬液１１の減少が検知されると、それに応じて、クランプ部１２０が輸液ライン２０を閉塞する。
【００２３】
具体的に、薬液１１の減少が検知されると、制御部１１６は、通電収縮ワイヤ１２５に電流が流れるよう制御し、それに応じて通電収縮ワイヤ１２５が収縮し、これに連動して、保持部１２４による押圧部１２３の保持が解除される。その結果、付勢された押圧部１２３が、輸液ライン２０を押圧して閉塞する。
【００２４】
次に、本実施形態の作用効果を述べる。
【００２５】
本実施形態の点滴監視装置１００は、点滴が終了し薬液１１が減少するのにともなって、輸液ライン２０を閉塞するため、輸液ライン２０への血液の逆流が防止され、安全である。また、血液の逆流が防止される結果、輸液ライン２０が再利用可能な状態に維持されるため、医療経済性に優れる。
【００２６】
また、本実施形態の点滴監視装置１００では、本体部１１０が、報知信号発生部１１５からアラーム音（報知信号）を発し、これによって、点滴の終了を知らせるため、点滴終了後の状態がそのまま放置される危険性が減るとともに、患者および医療従事者が速やかに対処できる。
【００２７】
本実施形態のクランプ部１２０では、輸液ライン２０の閉塞を可能にする主たる構成として、高価な部品を使用するのではなく、バネ１２２（弾性体）および通電収縮ワイヤ１２５という、比較的単純な部品が用いられるため、コストを抑えて構造を簡単にできる。
【００２８】
また、輸液ライン２０を閉塞させる際、通電収縮ワイヤ１２５は一瞬の通電で収縮することから、通電収縮ワイヤ１２５を用いれば電力消費が抑えられ、低電力の装置を実現できる。
【００２９】
また、点滴筒１０に照射する光１１７として、赤外光を用いるようにすれば、薬液１１における色素吸収が抑えられるため、様々な薬液１１に対応して点滴監視装置１００を使用できる。
【００３０】
本発明は、上述した実施形態に限定されるものではなく、特許請求の範囲内で種々改変できる。
【００３１】
例えば、上記実施形態では、薬液の減少が検知された際に発せられる報知信号が、アラーム音であるが、本発明はこの形態に限定されず、点滴の終了を知らせる報知信号は、例えば点滅するＬＥＤ等の光であってもよいし、このような光とアラーム音との組み合わせであってもよい。
【００３２】
また、上記実施形態では、押圧部１２３を付勢する弾性体としてバネ１２２が使用されているが、この形態に限定されず、弾性体として例えばゴム等が使用されてもよい。
【００３３】
また、上記実施形態では、受光素子１１４を利用して薬液１１の減少が検知されているが、本発明は、この形態に限定されない。例えば、図２に示す光１１７の透過経路の先に受光素子を設けてもよく、この受光素子と、上記実施形態の受光素子１１４とを利用して薬液１１の減少を検知してもよいし、上記実施形態と異なり、前者の受光素子だけを利用して薬液１１の減少を検知してもよい。
【符号の説明】
【００３４】
１０    点滴筒、
１１    薬液、
２０    輸液ライン、
１００    点滴監視装置、
１１０    本体部、
１１１、１１２    互いに離隔して対向する内面、
１１３    発光素子、
１１４    受光素子、
１１５    報知信号発生部、
１１６    制御部、
１１７    光の透過経路、
１２０    クランプ部、
１２１    溝、
１２２    バネ（弾性体）、
１２３    押圧部、
１２４    保持部、
１２５    通電収縮ワイヤ。
【図１】
2020081089.tif 000003
【図２】
2020081089.tif 000004
【図３】
2020081089.tif 000005
【図４】
2020081089.tif 000006